(57)【要約】【課題】開口部周縁を補強し、丈夫で軽く、使いやすいスーツケースとするためのスーツケース用フレームを提供する。【解決手段】スーツケース１００の本体１０１及び蓋体１０２の開口部周縁に取り付けられる本体フレーム１及び蓋体フレーム２とからなり、本体フレーム１又は蓋体フレーム２の一方には溝部の底面を構成する帯状突起部１１が設けられており、本体１０１と蓋体１０２とを閉じて本体フレーム１と蓋体フレーム２とを嵌合させることで、外部に向けて開口し断面が矩形の溝部３が構成され、溝部３の幅寸法Ｗは１０ｍｍ以上１５ｍｍ未満であることを特徴とする。【選択図】図１
0003183373.tif 000002
【実用新案登録請求の範囲】
【請求項１】
スーツケースの本体及び蓋体の開口部周縁に取り付けられる本体フレーム及び蓋体フレームとからなり、本体フレーム又は蓋体フレームの一方には溝部の底面を構成する帯状突起部が設けられており、本体と蓋体とを閉じて本体フレームと蓋体フレームとを嵌合させることで、外部に向けて開口し断面が矩形の溝部が構成され、該溝部の幅寸法は１０ｍｍ以上１５ｍｍ未満であることを特徴とするスーツケース用フレーム。
【請求項２】
本体フレーム又は蓋体フレームの一方に設けられた帯状突起部の先端には嵌合用線状凹部が設けられ、他方のフレームには、前記線状凹部に嵌合される嵌合用線状凸部が設けられていることを特徴とする請求項1に記載のスーツケース用フレーム。
【請求項３】
帯状突起部の外側の面に、ロックシステム及び把手が設けられていることを特徴とする請求項１又は２に記載のスーツケース用フレーム。
【請求項４】
本体フレームに帯状突起部が設けられていることを特徴とする請求項１〜３のいずれか一項に記載のスーツケース用フレーム。
【請求項５】
請求項１〜４のいずれか一項に記載のスーツケース用フレームが取り付けられていることを特徴とするスーツケース。
【考案の詳細な説明】
【技術分野】
【０００１】
本考案は、スーツケースの開口部周縁を補強するためのスーツケース用フレームに関する。
【背景技術】
【０００２】
スーツケースには、ハードケースタイプとソフトケースタイプとがあり後者は外装を繊維布地、プラスチックシート、皮革などの生地を縫合し袋状としたものであるが、前者は外装を軽量で剛直な合成樹脂板、軽金属合金板などで構成したものであり、内部の収納物の保護に優れているために、航空機への積み込みや荷おろし作業に際して衝撃を受けることの多い海外旅行用スーツケースとして多く用いられている。
【０００３】
ハードケースタイプのスーツケースは、箱体の襠部のほぼ中央で２分割し形成した本体及び蓋体とから構成され、矩形の分割面を開口部としている。そして、この矩形開口部の一辺に蝶番を取り付け連結し、本体と蓋体とを開閉可能とし、さらに蝶番を取り付けた連結辺の対辺にロックシステムを取り付けて、本体と蓋体とを閉鎖施錠できるようにしている。このタイプのスーツケースでは剛直な外装材が用いられてはいるが、本体と蓋体の開閉がスムーズに行えるように、さらには、閉鎖後外部からの衝撃力で蓋体が開いたり、閉じた部分に隙間が発生したりすることがないように、開口部周縁を補強するためのフレームが本体及び蓋体とにそれぞれ取り付けられている。
【０００４】
この本体及び蓋体に取り付けられる本体フレームと蓋体フレームは、スーツケースを閉じた時に、両者が嵌合し、本体と蓋体とをしっかりと閉鎖する役割を果たしている。そして、この嵌合した両フレームにおいては、外部に向けて開口し、底面は閉鎖され、断面は矩形である溝部が構成されており、この溝部は把手やロックシステムが設けられる空間としての役割や蓋体を開けるために手先を挿入するための空隙としての役割を果たしている。そのため、この溝部は一定の幅を持つことが必要であり、従来この幅は１６ｍｍ以上に設定され、２０ｍｍ程度に設定される場合もある。
【０００５】
そして、上記のフレームはスーツケースの襠部の全周に亘って設けられ、開口部周縁の補強の役割を果たしている。一方、スーツケースの軽量化への要望は強く、軽量化のためには外装材の材質の選択や板厚の調整だけでは限界があり、フレームについても補強の役割を維持しつつ、軽量化の対象とする必要が生じてきた。
【０００６】
特許文献1に示されるように、フレームを利用しないスーツケース（トランク）の提案もあるが、スーツケースを閉鎖したときに本体と蓋体との間に隙間が生ずることを完全には防げず、また使いやすさの面でも充分ではなかった。
【先行技術文献】
【特許文献】
【０００７】
【特許文献１】特開平６−２０５７０４号公報
【考案の概要】
【考案が解決しようとする課題】
【０００８】
本考案の課題は、開口部周縁を補強し、丈夫で軽く、使いやすいスーツケースとするためのスーツケース用フレームを提供することである。
【課題を解決するための手段】
【０００９】
本考案のスーツケース用フレームは、スーツケースの本体及び蓋体の開口部周縁に取り付けられる本体フレーム及び蓋体フレームとからなり、本体フレーム又は蓋体フレームの一方には溝部の底面を構成する帯状突起部が設けられており、本体と蓋体とを閉じて本体フレームと蓋体フレームとを嵌合させることで、外部に向けて開口し断面が矩形の溝部が構成され、該溝部の幅寸法は１０ｍｍ以上１５ｍｍ未満であることを特徴とする。
【００１０】
そして、本体フレーム又は蓋体フレームの一方に設けられた帯状突起部の先端には嵌合用線状凹部が設けられ、他方のフレームには、前記線状凹部に嵌合される嵌合用線状凸部が設けられていることが好ましく、さらに、帯状突起部の外側の面に、ロックシステム及び把手が設けられていることが好ましい。また、帯状突起部は本体フレームに設けられていることが好ましい。
【００１１】
本考案においては、上記したスーツケース用フレームが取り付けられたスーツケースも提供される。
【考案の効果】
【００１２】
本考案のスーツケース用フレームは、溝部の幅を１０ｍｍ以上１５ｍｍ未満と狭くすることで、スーツケースの軽量化ができるとともに、フレーム材料を減らすことができコストダウンにもなる。また、溝部の底面を構成する帯状突起部の幅も狭くすることができるため、曲げ強度が向上し、外力による変形が少なくなる。そのため、閉鎖施錠したスーツケースに衝撃を受けた場合に、本体と蓋体とがずれたりすることが少なくなり、丈夫で使いやすいスーツケースとなる。
【図面の簡単な説明】
【００１３】
【図１】本考案のスーツケース用フレームを取り付けたスーツケースの外観斜視図。
【図２】図1におけるＡ−Ａ線部分断面図。
【図３】図２におけるＢ−Ｂ線部分断面図。
【考案を実施するための形態】
【００１４】
以下、本考案の実施の形態について図に基づき詳細に説明する。
【００１５】
図１に示す閉じられた状態のスーツケース１００は本体１０１と蓋体１０２から成り、それぞれの開口部周縁に本体フレーム１と蓋体フレーム２が取り付けられている。この状態では本体フレーム１と蓋体フレーム２は相互に嵌合しており、この両フレームの間には一定の幅寸法Ｗの溝部３が構成されている。溝部３は外部に向かって開口しており、溝部３の底面は本体フレーム１に設けられた帯状突起部１１により構成されている。本図のＡ−Ａ線部分断面図である図２に示すように、帯状突起部１１の先端には嵌合用線状凹部１２が設けられ、蓋体フレーム２に設けられた嵌合用線状突起２２に嵌合し、嵌合部４となり、帯状突起部１１が溝部３の底面を構成し、溝部３は外部に向けて開口し断面が矩形となっている。尚、スーツケース１００にはキャリーハンドル１０５とキャリヤー１０６も設けられている。
【００１６】
図１に示すように溝部３にはロックシステム１０３や把手１０４が設けられている。図１のＢ−Ｂ線部分断面図である図３に示すように、ロックシステム１０３の本体は帯状突起部１１の上に取り付けられている。図示はしていないが把手１０４の取り付け部も同様に取り付けられる。
【００１７】
本考案における溝部３の幅寸法Ｗは１０ｍｍ以上１５ｍｍ未満である。１５ｍｍ以上では従来の幅寸法の溝部に比べ軽量化の効果が少なく、また帯状突起の幅も大きくなり曲げ強度の向上が期待できない。また、１０ｍｍ未満ではこの溝部に設けられるロックシステムや把手の取り付けに支障があり、蓋体の開閉作業にも支障がある。
【００１８】
本体フレーム１及び蓋体フレーム２の周縁部への取り付けは、図２や図３に示すように各フレームの外装材固定部１３、２３を本体１０１及び蓋体１０２の外装材に、接着剤やビスなどの固定金具を用いて固定され、取り付けられている。装飾材１４、２４はこの固定金具を覆い隠し、体裁を整えている。
【００１９】
図に示した実施例では、好ましい形態として本体フレーム１に帯状突起部１１を設けたが、蓋体フレーム２の方に取り付けることも可能である。
【００２０】
本考案のスーツケース用フレームは軽金属合金、例えばアルミニウム合金、マグネシウム合金、チタン合金などや、硬質合成樹脂、例えばポリプロピレン、ポリカーボネート、ＡＢＳ、ポリアミド（ナイロン）、ポリアセタールなどの材料を用いて、引き抜き成型や押し出し成型により製作し、スーツケースの開口部周縁の形状に合わせて屈曲させて取り付けることができる。
【００２１】
また、本考案のフレームが取り付けられるスーツケースはハードケースタイプであり、外装材としては軽量で剛直な合成樹脂板が用いられ、前記した硬質合成樹脂を用いることができるが、ＡＢＳ、ポリカーボネートなどが好ましく用いられる。
【符号の説明】
【００２２】
１    本体フレーム
１１    帯状突起部
１２    嵌合用線状凹部
１３    外装材固定部
１４    装飾材
２    蓋体フレーム
２２    嵌合用線状凸部
２３    外装材固定部
２４    装飾材
３    溝部
４    嵌合部
１００    スーツケース
１０１    本体
１０２    蓋体
１０３    ロックシステム
１０４    把手
１０５    キャリーハンドル
１０６    キャスター
Ｗ    溝部幅寸法
【図１】
0003183373.tif 000003
【図２】
0003183373.tif 000004
【図３】
0003183373.tif 000005